(57)【特許請求の範囲】
【請求項１】
細長い引き出し部材、および該細長い引き出し部材の長手方向の動きを制限するためのストッパを含む形式の引き出し滑り具組立体と共に使用する切り離しラッチであって、該切り離しラッチが、
レバー、
前記切り離しラッチを前記細長い引き出し部材に非枢動的に接続するための取り付け部分、および
その一方の端部では前記レバーと一体でありかつその反対の端部では前記取り付け部分と一体である主要ボデー部分、を含み、
該主要ボデー部分は、背中合わせの側部表面と、前記細長い引き出し部材をロック状態に保つためにストッパとかみ合うように配置されたストップ表面を有する壁を画成し、
該壁は、少なくともひとつの前記側部表面に該側部表面間の厚さよりは浅い縦方向に一定の間隔で形成された複数溝を含む外壁、それぞれの前記溝が前記切り離しラッチの非枢動たわみを容易に行わせ、下方向への圧力がレバーに加えられる時、前記ストップ表面からストッパが外され、前記ストップ表面の衝突時にはストッパへの衝撃が吸収される、ことからなる切り離しラッチ。
【請求項２】
請求項１に記載の切り離しラッチにおいて、前記溝の各々が前記壁の垂直方向の高さ一杯にわたっていることを特徴とする切り離しラッチ。
【請求項３】
請求項１に記載の切り離しラッチにおいて、レバーに下方向の圧力が加えられる時は、前記溝の各々の底部は横方向に圧縮可能でありかつ前記各々の溝の上部は横方向に拡張可能であり、前記ストップ表面がストッパを外し、そして前記ストッパへの衝撃をストップ表面が受ける時、前記溝の上部および底部が横方向に圧縮されて、衝撃のショックを吸収し、前記ストッパに対する圧力または荷重が加えられていない時には、前記溝が元の無衝撃の位置に戻ることを特徴とする切り離しラッチ。
【請求項４】
請求項１に記載の切り離しラッチにおいて、前記溝は背中合わせの両方の前記側面で相互に千鳥形に設けられていることを特徴とする切り離しラッチ。
【請求項５】
請求項１に記載の切り離しラッチにおいて、前記ストップ表面は一般に細長い引き出し部材の移動方向に対して直角を成し、前記ストッパにかみ合うように方向付けられて、細長い引き出し部材がロックされた位置を越えて摺動することを阻止することを特徴とする切り離しラッチ。
【請求項６】
請求項１に記載の切り離しラッチにおいて、前記主要ボデー部分は、ストップ表面を画成する前方端部および前記取り付け部分と一体の後方端部、概して長手方向に伸びかつその厚さが主要ボテー部分の他の部分よりも厚くなっている頂部が含むことを特徴とする切り離しラッチ。
【請求項７】
長手方向の軸線、相対する端部分、および該端部分を結合する主要本体部分を有する、一体成形された細長い本体を含む切り離しラッチであって、
前記主要本体部分は、対向する側面を有しかつそれぞれ概ね相互にそして前記軸線に対して垂直方向に伸びる高さと厚みを有し、該厚みが前記高さよりも概ね小さい壁を画成し、
前記主要本体部分上に、上方へ延び出し前記端部分のひとつに面したストップ表面を含み、そして
前記側面の少なくともひとつの表面に形成され各々が、前記壁の厚みより概ね小さい深さを有する軸線方向に一定の間隔で形成されている複数の溝を含み、
それによって、第一の状態では、前記溝が協同して拡張および圧縮して、前記切り離しラッチの非枢動的なたわみを容易に行わせ、かつ第二の状態では、前記溝が協同して圧縮して、前記ストップ表面上の外的衝撃力を消散させることを特徴とする切り離しラッチ。
【請求項８】
請求項７に記載の切り離しラッチにおいて、前記溝が前記軸線に対して傾斜していることを特徴とする切り離しラッチ。
【請求項９】
請求項７に記載の切り離しラッチにおいて、前記主要本体部分が前記端部分の一方の上方に延び出した頂部を含み、前記厚みが前記主要本体部分の他の部分においてよりも前記頂部において厚く、前記ストップ表面が前記頂部に位置されていることを特徴とする切り離しラッチ。
【発明の詳細な説明】
【０００１】
【発明の属する技術分野】
本発明は一般的には切り離しラッチの分野に関するもので、さらに詳細には、引き出し滑り部材の意図しない外れがないよう確実に防止すると同時に、必要に応じて滑り部材の取り外しや引き出しの取り付けを容易にする、高度の衝撃吸収性を持つ切り離しラッチに関するものである。
【０００２】
【従来の技術および発明が解決しようとする課題】
引き出しはしばしば、ボールベアリングなどの引き出し滑り具を使用して、キャビネット内に取り付けられる。引き出し滑り具により、引き出しの内部に容易に接近することができる。引き出しはキャビネットからどんなに引き出されても、滑り具により引き出しが水平位置に維持される。引き出し滑り具の最も基本的な目的は、滑り具が取付けられた引き出しが、開いた位置と閉じた位置の間を、滑らかに、制御されて、且つ楽に動くようにすることである。従って、引き出しが完全に引き出されたりまたは全開された時に、過失かまたは意図しない引き出しの外れがないよう防止する設備が、滑り具には必要である。一般に、滑り具組立体に組み込まれたロック部材が、この目的に使用されている。しかし時には、例えば修理または保全などで、引き出しをキャビネットから外す必要がある。
【０００３】
切り離しラッチにより、ロック部材のかみ合わせを外し、キャビネットから引き出しを簡単に取り外しできる。これは概してラッチを引き出しに接続することで達成される、またはさらに詳細すると、ラッチを引き出しに接続された滑り部材に物理的に接合することで達成されるが、ラッチの中央の一段高い部分（ストップレバー）が、少なくとも滑り具の背中合わせのチャンネル部材上にある対応ストップと接触するまでは、滑り具が邪魔されずに動けるようにする。このため、引き出しが開けられる時、ストップレバーがストップとかみ合うまでは、引き出しは邪魔されずに引き出され、その後はそれ以上は前方へ動かないように防止される。引き出しを取り外すには、ユーザは、ストップを解除する位置までストップレバーを動かして、ストップレバーのかみ合わせを外す必要がある。これをやり終わると、引き出しはその装着された滑り部材と一緒にキャビネットから外すことができる。
【０００４】
初期のラッチ設計では、各滑り部材とそれに対応するストップとのかみ合わせからの衝撃力が原因で、ラッチおよび背中合わせのチャンネル部材の機械的故障が頻繁に発生した。その上、長軸方向に移動するラッチによるストップのかなり強力な衝撃力が原因となって、滑り部材にラッチを結合するために使われたリベットが頻繁にねじ切られた。
【０００５】
さらに最近では、より初期のラッチ設計の問題点の幾つかを解決する切り離しラッチが構成されている。そのようなラッチ設定のひとつが、パービンへの米国特許第５，２５５，９８３に開示されており、それでは関連のレバーに下方向の圧力を使用して、ラッチのたわみ（非枢動）によって滑り部材のかみ合わせの解除、引き出しの簡単な取り外し、および滑り部材が停止される際に生じた衝撃エネルギーとノイズの吸収を可能にする垂直スロットが施された弾力性のある一体形成のラッチ本体が示されている。
【０００６】
長期間の使用によるラッチの強度および可撓性を妥協させることなしに、切り離しラッチの衝撃吸収性およびたわみ性を向上させる必要がある。パービン特許のラッチではスロットは２個だけであり、ひとつは拡張用に、他は収縮用に設計されており、いずれのスロットも両方の機能は行わない。パービン特許ではスロットの追加を示唆しながら、ラッチの小型、強度、構成の簡易性、および衝撃吸収性に妥協することなしにスロットを追加する方法を説明していない。
【０００７】
本発明の全般的な目的は、引き出しの前方への動きを効果的に止め、それと同時にユーザが使用しやすく且つ取り外しを簡単に行うことができる衝撃吸収切り離しラッチを提供することである。各引き出しには、引き出しのどちらか一方の側に切り離しラッチが取り付けられ、ラッチのレバーは簡単に下方向に曲げることができると同時に、引き出しの取り外しを容易にする。
【０００８】
本発明の目的はさらに、ボールベアリング型の滑り具など、滑り具の内部チャンネル部材の幅によって明確に決定される極く狭いエンベロープ内で、人間工学的に操作される切り離しラッチを提供することでもある。
【０００９】
本発明の目的はまた、柔軟性および高度の衝撃吸収性を示す切り離しラッチを提供することでもある。
【００１０】
【課題を解決するための手段】
発明の以上およびその他の特徴は、細長い引き出し部材、および細長い引き出し部材の前後方向の動きを制限するストッパを含む型の引き出し滑り具と共に使用される切り離しラッチを提供することにより達成される。切り離しラッチは、レバー、切り離しラッチを細長い引き出し部材に非枢動的に結合するための取り付け部分、および一端でレバーと一体にされかつその反対側端部で取り付け部分と一体にされた主要本体部分から成る。主要本体部分には、細長い引き出し部材をロック状態に維持するためのストップ表面が含まれる。さらに、前後方向に一定の間隔で配置された複数の溝が含まれており、各溝は主要本体部分の垂直方向の高さ一杯に伸びる。溝は切り離しラッチの非枢動的たわみを助けて、レバーに下方向の圧力が加えられる時、ストップ表面がロッキング部材を解除できるようにし、ストッパに対してストップ表面に衝撃が加えられる時、衝撃を吸収できるようにする。
【００１１】
本発明は、容易に理解されるために、以下で十分に説明され、付随の図で図解され、且つ付随の請求項で詳細に指摘される一定の斬新な特徴および部品の組み合わせから成り、本発明の真髄から離れることなしに、または本発明の長所をどれも犠牲にすることなしに、各種の詳細に渡る変更がなされ得ることが理解される。
【００１２】
発明の理解を容易にする目的で、発明の優先的具体化例が添付の図で図解されているので、説明と関連してそれを参照することにより、発明、発明の構造および操作、および発明の多数の長所が容易に理解され認められるはずである。
【００１３】
【実施例】
図１を参照すると、そこには、本発明の特徴に従って構成され且つそれを具体化した、全体的に数字１００で示された、衝撃吸収切り離しラッチが図解されている。
【００１４】
ラッチ１００は一体形成の構造であり、出来ればゴムまたはプラスチックエラストマーの素材から作られるのが好ましく、概して３つの部分で形成されている。３つの部分とは、レバー１２０、溝グループ１３１、１３２をそれぞれに含むたわみ主要本体１３０、および非枢動の滑り具結合部分１４０である。
【００１５】
図２から図４までを参照すると、ラッチ１００は出来れば、引き出し滑り具組立体１０の引き出し部材１１へ固定されることが好ましい。図解の実施例の引き出し滑り具組立体１０は、従来の３部構成のボールベアリング型滑り具であり、引き出し部材１１、中間滑り子部材１２、および関連の引き出し（表示なし）に固定されたキャビネット部材１３を含む。中間滑り子部材１２は、その一方の側で第一ボールベアリングレース１４の手段でキャビネット部材１３へ、および第二ボールベアリング（表示なし）の手段で引き出し部材１３へ、全て周知の方法で結合されて、それらの間のかみ合いを助ける。引き出し部材１１の前後方向の動きを制限するため、および引き出しが全開された位置まで引き出した時、その位置を基にして引き出しが固定されるために、ストッパ１５は引き出しの前面終端に最も近い第二ボールベアリングレースの終端に設置されている。ストッパ１５は、当技術で周知の方法で、皿穴リベット１６により中間滑り子部材１２の側壁に固定されている。不注意からまたは意図せずに引き出しが全開された位置以上には動かないように予防するために、ストッパ１５には、引き出し部材１１に結合されたラッチ１００とかみ合う代わりに、突出した停止ポスト１５ａが含まれている。
【００１６】
図２を参照すると、引き出し部材１１には、切り離しラッチ１００の幅または高さよりも極くわずかだけ広い間隔で配置された上部および底部フランジ１７、１８が含まれている。
【００１７】
図１に戻って参照すると、レバー１２０はフランジ１７と１８に対して平行に水平方向に張り出している。たわみ主要本体１３０には、レバー１２０の長手方向軸と全体的に直角を成すストップ表面１３３が含まれ、主要本体１３０を非枢動滑り具結合部分１４０に結合している後方向に下向きに斜めになった上部表面１３４を持つ主要本体である。溝グループ１３１、１３２は、主要本体１３０の背中合わせの各側面で、主要本体の高さ一杯に垂直に伸び、各溝グループは大体において平行に且つ既定の固定の間隔で配置されている。図１および図２で示された具体化例では、３本の溝１３１と３本の溝１３２が設けられている。溝１３１は、溝１３２から後方向へ縦に千鳥形で既定距離の半分の間隔でずれて配置されている。溝１３１、１３２の基板またはルート表面は、長時間のまたは継続的なたわみ使用による応力の下でのねじ切れまたは引裂に対する予防として、一般に弧状である。
【００１８】
以下でさらに詳細に説明されるが、溝１３１、１３２は拡張および／または圧縮することにより、図２の矢印の方向でレバー１２０の押下を助け、且つストップ表面１３３がストッパ１５と接触する際、衝撃を吸収する。生じたたわみ量および衝撃吸収量は、ラッチ素材の厚さおよび硬度、さらに溝１３１、１３２の深さ、大きさ、数、位置によって決まる。従って、使用される特種な環境に適したたわみや衝撃吸収の属性を備えたラッチ１００を構成することが可能である。
【００１９】
滑り具結合部分１４０は、中央に凹部１４１ａのある底部表面１４１を持つ直立した壁から成り、凹部１４１ａの前後の脚１４２、１４３は引き出し部材１１の底部フランジ１８表面に水平に載る。図３と図６で示されるように、リベットの頭１９ａと軸１９ｂをそれを通してそれぞれ受け入れるボア１４４と沈めボア１４５が、滑り具結合部分１４０の中央近くで形成されている。リベット１９はラッチ上にある関連の凹部１１ａの中で膨張して、ラッチ１００を引き出し部材１１へ結合する。
【００２０】
ラッチ１００が引き出し部材１１へ取り付けられると、それらは一緒に引き出しの滑る方向に水平に動く。その通常の休止状態では、ラッチ１００の脚１４２と１４３は底部フランジ１８の上に休み、ラッチ１００のストップ表面１３３は、ストップポスト１５ａとかみ合うために、引き出し部材１１の上部フランジ１７に隣接して配置されている。この位置ではラッチ１００はロックされているため、ストッパ１５のストップポスト１５ａが引き出し部材１１の前後方向の動きを制限し、図２で示されているように、ストッパ１５の幻影の位置５００は、引き出しがほとんど全開されたかまたは開かれた位置にある時の状態に対応している。このようにして、ストッパ１５ａはストップ表面１３３とかみ合って、ラッチ１００の動きを阻み、さらにラッチ１００が取り付けられている引き出し部材１１の動きを阻む。しかし、以下で説明されるように、図２の矢印の方向にレバー１２０を挿下することで切り離しラッチ１００が下方向にたわみ、かみ合わせが解除されると、ストップ表面１３３はストップポスト１５ａから外れ、引き出しと共に引き出し部材１１はストッパ１５を通り過ぎることができ、従って中間滑り子部材１２の縦の外側端部を通り過ぎることができるため、引き出しの取り外しが容易になる。そのようなたわんだ位置のラッチ１００が、図２の幻影の位置６００によって示されている。
【００２１】
従って、レバー１２０へ指の圧力を加えて底部フランジ１８の方へ挿下すると、ラッチ１００のたわみ性を持った主要本体１３０は、それに応えてレバーが挿下された方向へたわむ。それと同時に、滑り具結合部分１４０は、枢動せずに底部フランジ１８に押されて、レバー１２０を下へたわませながら必要な反応をする。すると、ストップ表面１３３がポスト１５ａから外れ、引き出し部材１１を取り外すことができる。
【００２２】
ラッチ１００の厚さは、引き出し部材１１の側壁とストッパ１５との間のスペースによって直接制限される。ラッチ１００は、図６で示されているリベット１９などの固着具を使用して引き出し部材１１へ固定されており、ラッチ１００の厚さを最大にするために、固着具の両端は関連ラッチ１００表面および引き出し部材１１と同一平面を成す。この代わりに、図７で示されているように、ラッチ１００と一体形成された突出したポスト１４６を持つラッチ１００により、ポスト１４６の終端から横に伸びるタブ１４７の手段で引き出し部材１１へ固定することもできる。
【００２３】
溝１３１、１３２を使用する結果、ストッパ１５上のストップポスト１５ａに対してストップ表面１３３の衝撃によって生じ衝撃エネルギーが吸収されることになる。衝撃荷重の下では、衝撃からの荷重を消散するために、溝１３１、１３２は横に狭まる、つまり圧縮する。
【００２４】
同様に、レバー１２０が図２の矢印の方向に挿下される時、溝１３１、１３２がたわめられて、溝の上端は横に広がり下部終端は狭まるため、ストップ表面１３３がストップポスト１５ａを外すことができる。たわみ活動の故に、滑り具結合部分１４０が引き出し部材１１に結合された取付け部の周囲で枢動する必要性が除かれる。このことは、ラッチ素材の生来の弾力性および溝１３１、１３２によって、さらに助長される。さらに、レバー１２０から指の圧力が除かれると、レバーはそれ自身の弾力性でその非たわみ位置へ戻る。
【００２５】
図８で示されているように、第二の好適実施例に従って、ラッチ１００′は衝撃吸収性を増大するために上方向で後へ傾いた溝１３１′、１３２′を持っている。さらに、図９の平面図で一層明らかに示されているように、衝撃吸収性およびたわみをさらに増大するために、ストップ表面１３３はラッチ１００の他の部分よりも幾分か厚く作ることができる。
【００２６】
図１０では、第三の好適実施例に従ったラッチ１００″が示され、反対または前方向に傾いた溝１３１″、１３２″が示されている。
【００２７】
多数の実施例および変形で、本発明が実行可能であることが容易に分かるはずである。例えば、必要なたわみおよび衝撃吸収性を確保するために、溝の数、大きさ、高さ、および位置は、各種の選択が可能である。さらに、溝は垂直である必要はない。その代わりに、ラッチの属性を犠牲にすることなしに、多数の手段で方向付けることが可能である。その上、ラッチは各種の滑り具組立体と一緒に使用するために簡単に応用でき、かつ各種サイズの引き出し部材との連結が可能である。レバー１２０の形状および大きさも、発明の範囲から離れることなしにいろいろ修正することができる。
【００２８】
これまで本発明の特定の実施例が示され且つ説明されてきたが、より広い局面において本発明から離れることなしに各種の変更および修正がなされ得ることは、当該技術に熟練された方々には十分に理解されるであろう。従って、付随の請求項の目的は、発明の真髄および範囲に該当する各種の変更および修正を全て網羅することにある。前述の説明および付随の図面で示された事項は、説明の手段としてだけ提供されるものであり、限定として提供されるものではない。発明の真の範囲は、従来の技術に基づいてその正しい視野において検討される時、付随の請求項において明確にされることを意図するものである。
【図面の簡単な説明】
【図１】本発明に従って構成され、本発明の特徴を具体化した衝撃吸収切り離しラッチの透視図である。
【図２】引き出しの滑り部材に取付けられた図１のラッチの側面立面図であり、レバーのたわんだ位置と滑りの停止した位置が共に幻影で示された図である。
【図３】概して図３の線３−３に沿った、垂直断面図である。
【図４】概して図３の線４−４に沿った垂直断面図であり、ラッチが引き出し滑り具の引き出しストップ部分に関して通常位置または非たわみ位置にある場合である。
【図５】引き出しストップと組み合わせた図１のラッチの概して線６−６に沿った縮小斜視図で、引き出しストップが幻影として示されている。
【図６】図３の概して線６−６沿って切断された水平断面の拡大図で、リベットにより引き出し滑り部材へ結合されたラッチの沈み穴ぐりされたリング部分を示す図。
【図７】図６と類似の図であるが、引き出し滑り部材にカチンと音をたてて（スナップ）結合する突出したポストが提供されたラッチを示している。
【図８】本発明の第二の好適実施例に従って構成された切り離しラッチの側立面図であり、図１の溝に類似した溝は、ラッチの非枢動リベットの方向に僅かに傾いている。
【図９】図８のラッチの上部平面図であり、ラッチ本体の他の部分に比べ上部の厚さがより明確に示されている。
【図１０】図８に類似の、本発明のもう一つの実施例の図であり、より多数の溝を持つラッチで、全ての溝が図８の溝とは反対方向に傾いている。
【符号の説明】
１０  引き出し滑り具組立体
１１  引き出し部材
１２  中間滑り具部材
１３  キャビネット部材
１４  リベット
１５  ストッパ
１７  頂部フランジ
１８  底部フランジ
１９  リベット
１００  切り離しラッチ
１２０  レバー
１３０  たわみ主要本体
１３１、１３２  溝
１３３  ストップ表面
１４０  非枢動滑り具結合部分
【図１】
0003803422.tif 000002
【図２】
0003803422.tif 000003
【図３】
0003803422.tif 000004
【図４】
0003803422.tif 000005
【図５】
0003803422.tif 000006
【図６】
0003803422.tif 000007
【図７】
0003803422.tif 000008
【図８】
0003803422.tif 000009
【図９】
0003803422.tif 000010
【図１０】
0003803422.tif 000011